(57)【要約】【課題】意図しない区分に対して設定された操作値を誤って使用することを抑制できる歯科用診療装置および歯科診療システムを提供する。【解決手段】歯科用診療装置としての歯科用ユニット１は、操作表示手段２１０を備えている。この歯科用ユニット１は、ユーザに関係付けて該ユーザごとに色の設定を受け付けるユーザ編集画面を操作表示手段２１０に表示させるユーザ編集手段２２１を備える。また、歯科用ユニット１は、ユーザごとに歯科用ユニット１の操作項目における操作値の設定を受け付ける操作値設定画面を操作表示手段２１０に表示させる操作値設定手段２２２を備える。そして、操作値設定手段２２２は、操作値設定画面における上部バーに、ユーザ編集手段２２１によって設定された色をユーザに応じて表示させる。【選択図】図２
2018007803.tif 000002
【特許請求の範囲】
【請求項１】
表示手段を備える歯科用診療装置であって、
区分としてのユーザまたは診療項目または患者に関係付けて該区分ごとに色の設定を受け付ける区分色設定画面を前記表示手段に表示させる区分色設定手段と、
前記区分ごとに前記歯科用診療装置の操作に関する項目である操作項目における操作値の設定を受け付ける操作値設定画面を前記表示手段に表示させる操作値設定手段と、を備え、
前記操作値設定手段は、前記操作値設定画面における所定領域に、前記区分色設定手段によって設定された色を前記区分に応じて表示させることを特徴とする歯科用診療装置。
【請求項２】
前記操作値設定手段は、前記所定領域に、前記区分に応じた文字をさらに表示させることを特徴とする請求項１に記載の歯科用診療装置。
【請求項３】
前記所定領域は、前記操作値設定画面の上端部に配置されていることを特徴とする請求項１または請求項２に記載の歯科用診療装置。
【請求項４】
前記区分色設定画面は、前記区分の登録および編集を受け付ける機能を有していることを特徴とする請求項１から請求項３のいずれか一項に記載の歯科用診療装置。
【請求項５】
前記操作値設定画面は、複数の前記操作項目の各々における操作値の設定を受け付ける複数のボタンを有し、
前記歯科用診療装置は、前記ボタンに関係付けて該ボタンごとに色の設定を受け付けるボタン色設定画面を前記表示手段に表示させるボタン色設定手段を備え、
前記操作値設定手段は、前記操作値設定画面における複数の前記ボタンを前記ボタン色設定手段によって設定された色でそれぞれ表示させることを特徴とする請求項１から請求項４のいずれか一項に記載の歯科用診療装置。
【請求項６】
請求項１から請求項５のいずれか一項に記載の歯科用診療装置を複数備える歯科診療システムであって、
複数の前記歯科用診療装置のうちの一の歯科用診療装置において前記区分に関係付けられた色が設定された場合、該一の歯科用診療装置において設定された色が、複数の前記歯科用診療装置のうちの他の歯科用診療装置においても前記区分に関係付けられて設定されることを特徴とする歯科診療システム。
【発明の詳細な説明】
【技術分野】
【０００１】
本発明は、歯科用診療装置および歯科診療システムに関する。
【背景技術】
【０００２】
歯科診療システムは、歯科医院内の診療室に設置された少なくとも１つの歯科用診療装置としての歯科用ユニット１を備えて構成されている。この歯科用ユニットは、一般に、ユニット本体と、歯科用のインスツルメントを保持するハンガーと、ハンガーの上のテーブルと、歯科用椅子と備えている。
【０００３】
特許文献１には、歯科用ユニットの操作に関する項目である操作項目を操作パネルに表示させ、その操作項目における操作値（例えばインスツルメント使用時の操作値）の設定を随時行うことが可能な歯科用ユニットが開示されている（段落［０００２］参照）。
また、この歯科用ユニットは、初期操作値を記憶保存する機能と、初期操作値に復帰させるリセット機能とを有しており、このため、初期設定値の操作値への復帰が容易であり、作業効率が向上する（段落［００１２］参照）。
【先行技術文献】
【特許文献】
【０００４】
【特許文献１】特開２００６−３４６２６０号公報
【発明の概要】
【発明が解決しようとする課題】
【０００５】
前記した特許文献１には、一つの歯科用ユニットが複数のドクター等のユーザによって使用される場合については記載されていない。このような使用形態を想定した場合、ユーザの身体的特徴や操作傾向等に応じて、各ユーザに合った操作値が使用されるのが通常である。この場合、歯科用ユニットは、区分としてのユーザごとに操作値を設定して保存できるように構成することが望ましい。
【０００６】
しかしながら、一つの歯科用ユニットが複数のユーザによって使用される場合には、一のユーザが他のユーザの設定した操作値を間違って使用してしまう可能性がある。この場合、間違いに気付かずに他のユーザの設定した操作値を使用してしまうと、ユーザに合った操作値が使用されず、適切な診療に支障をきたすおそれがある。
【０００７】
本発明は、前記した事情に鑑みてなされたものであり、意図しない区分に対して設定された操作値を誤って使用することを抑制できる歯科用診療装置および歯科診療システムを提供することを課題とする。
【課題を解決するための手段】
【０００８】
前記課題を解決するため、本発明は、表示手段を備える歯科用診療装置であって、区分としてのユーザまたは診療項目または患者に関係付けて該区分ごとに色の設定を受け付ける区分色設定画面を前記表示手段に表示させる区分色設定手段と、前記区分ごとに前記歯科用診療装置の操作に関する項目である操作項目における操作値の設定を受け付ける操作値設定画面を前記表示手段に表示させる操作値設定手段と、を備え、前記操作値設定手段は、前記操作値設定画面における所定領域に、前記区分色設定手段によって設定された色を前記区分に応じて表示させることを特徴とする。
【０００９】
このような構成では、操作値設定画面における所定領域に、区分としてのユーザまたは診療項目または患者ごとに設定された色が表示される。このため、ユーザは、操作値設定画面が表示手段に表示された際に、意図した区分の色が表示されているか否かを容易かつ確実に認識することができる。そして、仮に意図した区分の色と異なる色が表示された場合には、表示手段に表示された操作値設定画面が別の区分用のものであることに直ぐに気付くことができる。
したがって、本発明によれば、意図しない区分に対して設定された操作値を誤って使用することを抑制できる歯科用診療装置を提供することができる。
これにより、間違いに気付かずに他の区分用に設定した操作値を誤って使用してしまって適切な診療に支障をきたすおそれを未然に防ぐことができる。
ここで、例えばユーザ認証を行うことによって操作値設定画面へのアクセスを制限することも考えられる。しかし、この場合、歯科用診療装置の使用の都度ユーザ認証を行う必要が生じ、作業が煩雑となり、実際的ではない。これに対して本発明は、より簡易な構成でユーザに負担を強いることなく、意図しない区分に対して設定された操作値を誤って使用することを抑制することが可能である。
【００１０】
前記歯科用診療装置において、前記操作値設定手段は、前記所定領域に、前記区分に応じた文字をさらに表示させることが好ましい。
【００１１】
このような構成では、ユーザは、表示手段に表示された操作値設定画面が、意図した区分用のものであることをより確実に認識することができる。
【００１２】
前記歯科用診療装置において、前記所定領域は、前記操作値設定画面の上端部に配置されていることが好ましい。
【００１３】
このような構成では、区分ごとに設定された色が表示される所定領域は、ユーザの目に入り易く視認性が高まる。したがって、ユーザは、操作値設定画面が表示手段に表示された際に、自己が設定した区分の色が表示されているか否かをより容易かつ確実に認識することができる。
【００１４】
前記歯科用診療装置において、前記区分色設定画面は、前記区分の登録および編集を受け付ける機能を有していることが好ましい。
【００１５】
このような構成では、区分色設定画面は、区分の登録および編集を受け付ける機能と、区分に関係付けて該区分ごとに色の設定を受け付ける機能とを兼ね備えることができる。したがって、ユーザは、区分に関する設定作業を効率良く、しかも確実に行うことができる。
【００１６】
前記歯科用診療装置において、前記操作値設定画面は、複数の前記操作項目の各々における操作値の設定を受け付ける複数のボタンを有し、前記歯科用診療装置は、前記ボタンに関係付けて該ボタンごとに色の設定を受け付けるボタン色設定画面を前記表示手段に表示させるボタン色設定手段を備え、前記操作値設定手段は、前記操作値設定画面における複数の前記ボタンを前記ボタン色設定手段によって設定された色でそれぞれ表示させることが好ましい。
【００１７】
このような構成では、操作値設定画面が複数の操作項目にそれぞれ対応する複数のボタンを有している場合に、複数のボタンは、ボタン色設定手段によって設定された色でそれぞれ表示させられる。したがって、ユーザは、複数の操作項目をボタンの色で容易かつ確実に識別することができる。このため、歯科用診療装置の操作を誤ってしまうことを未然に防止することができる。
【００１８】
また、本発明は、前記歯科用診療装置を複数備える歯科診療システムであって、複数の前記歯科用診療装置のうちの一の歯科用診療装置において前記区分に関係付けられた色が設定された場合、該一の歯科用診療装置において設定された色が、複数の前記歯科用診療装置のうちの他の歯科用診療装置においても前記区分に関係付けられて設定されることを特徴とする。
【００１９】
このような構成では、区分に関係付けられた色の設定を行う作業は、複数の歯科用診療装置のうちの一つで行われるのみで完了する。したがって、作業効率が向上するだけでなく、色の設定を複数の歯科用診療装置間で統一的に行うことができる。このため、複数の歯科用診療装置のいずれにおいても、意図しない区分に対して設定された操作値を誤って使用することを抑制することができる。
【発明の効果】
【００２０】
本発明によれば、意図しない区分に対して設定された操作値を誤って使用することを抑制できる歯科用診療装置および歯科診療システムを提供することができる。
【図面の簡単な説明】
【００２１】
【図１】本発明の第１実施形態に係る歯科用診療装置としての歯科用ユニットを模式的に示す構成図である。
【図２】本実施形態に係る歯科用ユニットを備える歯科診療システムを模式的に示すブロック図である。
【図３】歯科用ユニットの操作に関する処理の概略の手順を示すフローチャートである。
【図４】ユーザ選択画面の一例を示す図である。
【図５】ユーザ編集画面の一例を示す図である。
【図６】ユニット待機画面の一例を示す図である。
【図７】インスツルメント設定画面の一例を示す図である。
【図８】メニュー画面の一例を示す図である。
【図９】ユニット設定画面の一例を示す図である。
【発明を実施するための形態】
【００２２】
本発明の実施形態について、適宜図面を参照しながら詳細に説明する。
なお、各図において、共通する構成要素や同様な構成要素については、同一の符号を付し、それらの重複する説明を適宜省略する。
【００２３】
（第１実施形態）
図１は、本発明の第１実施形態に係る歯科用診療装置としての歯科用ユニット１を模式的に示す構成図である。
図１に示すように、歯科用ユニット１は、ユニット本体１０１とハンガー１０２とを含む装置本体１００と、ハンガー１０２の上のテーブル１０３と、歯科用椅子１０４と、情報端末機器２００と、を主に備えている。
【００２４】
ユニット本体１０１は、歯科用椅子１０４を駆動するための駆動機構１３０（図２参照）や、歯科用のインスツルメント１１０を駆動するための駆動回路１２０（図２参照）等を内蔵している。このユニット本体１０１は歯科治療用設備に連結されている。ここで、歯科治療用設備には、例えば、オートカラン（コップ自動給水栓）、スピットン、無影灯、バキューム等が含まれるが、これらの詳しい説明は省略する。
【００２５】
ハンガー１０２は、複数のインスツルメント１１０を脱着自在に収納するものである。ハンガー１０２は、複数のホルダを有しており、各ホルダにインスツルメント１１０を個別に収納することができる。
【００２６】
インスツルメント１１０は、例えばハンドピース１１１と接続部１１２とを備えている。接続部１１２には、ホース１１３が連結され、ホース１１３は、装置本体１００内の駆動回路１２０（図２参照）に接続されている。ハンドピース１１１は、接続部１１２に対して着脱自在である。なお、インスツルメントの種類によっては、ハンドピース１１１がホース１１３に連結されていて着脱できないものもある。インスツルメント１１０の種類は、例えば、タービン、ハンドピース、マイクロモータ、シリンジ、スケーラー等である。インスツルメント１１０には、その先端に照明用ランプ（例えばＬＥＤ）が設けられているものもある。
【００２７】
ハンガー１０２は、通常、ドクター用のハンガーと、アシスタント用のハンガーとがあるが、本実施形態では、ドクター用のハンガーのみ図示した。また、ハンガー１０２がアーム部１０５に支持されたタイプを示したが、これに限定されるものではなく、スタンド等に設置されたタイプ等、用途に応じて種々の形態を実施できる。なお、図１では、アーム部１０５の基端側の図示を省略するが、ユニット構成に応じて、例えばユニット本体１０１や歯科用椅子１０４の基台等に連結されている。
【００２８】
テーブル１０３の上には、この歯科用ユニット１の操作手段、および表示手段としての機能を有する情報端末機器２００が設置されている。また、情報端末機器２００との間で近距離通信を行う本体側通信手段１５０がテーブル１０３に内蔵されている。なお、情報端末機器２００および本体側通信手段１５０については後記する。
【００２９】
歯科用椅子１０４は、動力によって高さや姿勢を変化させることのできる椅子である。本実施形態では、歯科用椅子１０４は、座面シート１０４ａと、この座面シート１０４ａにそれぞれ接続された、バックレスト１０４ｂ、アームレスト１０４ｃおよびレッグレスト１０４ｅと、バックレスト１０４ｂに接続されたヘッドレスト１０４ｄと、を備えている。座面シート１０４ａの位置を上下方向に移動させる動作のことを、以下では椅子の上昇動作又は下降動作という。椅子の上昇動作では、患者が座り易いホームポジションから、ドクター等のユーザごとに治療に適した高さへ上昇させる。椅子の下降動作では、ユーザごとに治療に適した高さからホームポジションへ下降させる。
【００３０】
また、ホームポジションの姿勢から、バックレスト１０４ｂ、座面シート１０４ａおよびレッグレスト１０４ｅを後ろ側に向けて寝かせた姿勢（図１参照）に変化させる動作のことを、以下では椅子の寝動作という。また、バックレスト１０４ｂ、座面シート１０４ａおよびレッグレスト１０４ｅを前方に向けて元のホームポジションの姿勢に変化させる動作のことを、以下では椅子の起動作という。なお、椅子の寝動作に併せて、同時にバックレスト１０４ｂの座面シート１０４ａに対する角度を変化させたり、レッグレスト１０４ｅの座面シート１０４ａに対する角度を変化させたりしてもよい。
【００３１】
図２は、本実施形態に係る歯科用ユニット１を備える歯科診療システム３を模式的に示すブロック図である。
図２に示すように、歯科診療システム３は、歯科医院内の診療室に設置された少なくとも１つ（例えば図２では２つ）の歯科用ユニット１を備えている。
【００３２】
歯科用ユニット１の装置本体１００は、本体側制御手段１７０と、本体側通信手段１５０と、本体側記憶手段１６０と、を有している。本体側通信手段１５０、および本体側記憶手段１６０は、本体側制御手段１７０に接続されている。
【００３３】
本体側制御手段１７０は、ＣＰＵ（Central Processing Unit）とメモリとを備えており、装置本体１００全体の制御を行う。
【００３４】
本体側通信手段１５０は、情報端末機器２００の通信手段２３０との通信、および通信ネットワークＮＷを介した通信を行うためのインタフェースである。本体側通信手段１５０で使用される通信方式は、無線通信および有線通信のいずれであってもよい。無線通信としては、例えば、無線ＬＡＮ、超音波通信、赤外線通信、可視光通信、Bluetooth（登録商標）等が使用され得る。有線通信としては、例えば有線ＬＡＮ等が使用され得る。
【００３５】
本体側記憶手段１６０は、例えば半導体メモリ、ハードディスク等であり、インスツルメント１１０の使用履歴等の各種データや各種プログラムなどの各種情報を記憶し保存することができる。
【００３６】
また、本体側制御手段１７０には、駆動回路１２０、駆動機構１３０、ハンガーセンサ１４０、フットコントローラ１０６（図１も参照）、および無影灯１０７が接続されている。
【００３７】
駆動回路１２０は、インスツルメント１１０を駆動するための公知の手段である。駆動回路１２０は、外部の図示しない電源、空気源、水道源等と接続されている。駆動回路１２０は、電力供給回路（マイクロモータ作動電力、照明用電力、加温用電力）、エア回路（タービン駆動用の加圧空気、霧生成用のチップエア）、水供給回路等を備えている。
【００３８】
駆動機構１３０は、歯科用椅子１０４の昇降や姿勢変化に用いるモータや、外部の図示しない電源等と接続される電力供給回路等を備えている。駆動機構１３０は、歯科用椅子１０４についての椅子の上昇動作、下降動作、寝動作、起動作等の駆動信号が入力されることで動作する。
【００３９】
ハンガーセンサ１４０は、ハンガー１０２（図１参照）のホルダごとに、インスツルメント１１０の脱着を検知するものである。ハンガーセンサ１４０は、例えば反射型又は透過型の光センサからなる。ハンガーセンサ１４０は、最初に取り上げたインスツルメント１１０に対応する検出情報のみをラッチするラッチ回路等の電気回路と共に動作することで、最初に取り上げたインスツルメント１１０を優先に１つのインスツルメント１１０のみを駆動回路１２０により駆動させることができる。
【００４０】
フットコントローラ１０６は、フットペダル１０６ａを踏み込む位置や加減により、ユーザが把持したインスツルメント１１０や歯科用椅子１０４を適切に動作させることができる。ここで、フットコントローラ１０６は、フットペダル１０６ａの踏込み状態に応じた信号を本体側制御手段１７０に送信する。フットコントローラ１０６からの信号の通信方式は、例えば有線通信であるが、無線通信であってもよい。本体側制御手段１７０は、フットコントローラ１０６からの信号に応じて、駆動回路１２０にインスツルメント１１０を駆動するための駆動信号を送信したり、駆動機構１３０に歯科用椅子１０４を駆動するための駆動信号を送信したりする。
【００４１】
歯科用ユニット１の情報端末機器２００は、制御手段２２０と、通信手段２３０と、記憶手段２４０と、を有している。通信手段２３０、および記憶手段２４０は、制御手段２２０に接続されている。情報端末機器２００としては、ここでは、タブレット型ＰＣ（平板状の外形を備え、タッチパネル式の表示／入力部を持った携帯可能なパーソナルコンピュータ）が使用されている。
【００４２】
制御手段２２０は、ＣＰＵ（Central Processing Unit）とメモリとを備えており、情報端末機器２００全体の制御を行う。また、制御手段２２０は、装置本体１００に対して歯科用ユニット１の操作に関する指令を送る。
【００４３】
通信手段２３０は、装置本体１００の本体側通信手段１５０との通信、および通信ネットワークＮＷを介した通信を行うためのインタフェースである。通信手段２３０で使用される通信方式は、無線通信および有線通信のいずれであってもよい。
【００４４】
記憶手段２４０は、例えば半導体メモリ、ハードディスク等であり、歯科用ユニット１の操作履歴等の各種データや各種プログラムなどの各種情報を記憶し保存することができる。
【００４５】
また、制御手段２２０には、操作表示手段（表示手段）２１０が接続されている。操作表示手段２１０は、各種情報を表示し、または各種設定入力を行うためのタッチパネルである。タッチパネルを採用することでキーボード等の入力装置が不要となる。この操作表示手段２１０は、操作および設定用の画面、各種画像等の各種情報を表示する。操作表示手段２１０に表示される操作および設定用の画面は、後記するように、ドクター等のユーザの操作および設定を受け付ける。
【００４６】
制御手段２２０は、ユーザ編集手段２２１、操作値設定手段２２２、およびボタン色設定手段２２３を有している。これらユーザ編集手段２２１、操作値設定手段２２２、およびボタン色設定手段２２３の機能は、制御手段２２０のＣＰＵが所定のプログラムを実行することによって実現される。
【００４７】
ユーザ編集手段（区分色設定手段）２２１は、ユーザの登録および編集を受け付ける機能と、ユーザに関係付けて該ユーザごとに色の設定を受け付ける機能と、を兼ね備えたユーザ編集画面（区分色設定画面）４００（図５参照）を操作表示手段２１０に表示させるものである。
【００４８】
操作値設定手段２２２は、ユーザごとに歯科用ユニット１の操作に関する項目である操作項目における操作値の設定を受け付ける操作値設定画面として、ユニット待機画面５００（図６参照）やインスツルメント設定画面６００（図７参照）を操作表示手段２１０に表示させるものである。そして、操作値設定手段２２２は、操作値設定画面（ユニット待機画面５００、インスツルメント設定画面６００）における所定領域に、ユーザ編集手段２２１によって設定された色をユーザに応じて表示させるように構成されている。ここでは、所定領域は、操作値設定画面の上端部に配置される上部バー５１０，６１０（図６、図７参照）である。
【００４９】
インスツルメント設定画面６００（図７参照）は、複数の操作項目の各々における操作値の設定を受け付ける複数のボタン６０１〜６０３（図７参照）を有している。
ボタン色設定手段２２３は、ボタン６０１〜６０３に関係付けて該ボタン６０１〜６０３ごとに色の設定を受け付けるユニット設定画面（ボタン色設定画面）８００（図９参照）を操作表示手段２１０に表示させるものである。そして、操作値設定手段２２２は、インスツルメント設定画面６００（図７参照）における複数のボタン６０１〜６０３をボタン色設定手段２２３によって設定された色でそれぞれ表示させるように構成されている。
【００５０】
歯科用ユニット１は、通信ネットワークＮＷに接続されている。通信ネットワークＮＷは、有線ＬＡＮ等の有線通信ネットワーク、無線ＬＡＮやBluetooth（登録商標）等の無線通信ネットワーク、インターネットなどである。
【００５１】
通信ネットワークＮＷには、前記した歯科用ユニット１と、情報処理装置２とが接続されている。情報処理装置２は、例えば、歯科医院内の診療室に設置された情報処理装置、歯科用ユニット１の修理やメンテナンスを受け付けるコールセンターに設置された情報処理装置、歯科用ユニット１を製造したメーカーに設置された情報処理装置、通信ネットワークＮＷ上のクラウドサーバなどである。情報処理装置２は、例えば一般的なパーソナルコンピュータ（ＰＣ）、サーバコンピュータのほか、タブレット型ＰＣ等の携帯型の情報端末機器等であってもよい。歯科用ユニット１は、通信ネットワークＮＷに接続されている他の歯科用ユニット１、および情報処理装置２との間で、各種情報の通信を行うことが可能となっている。
【００５２】
次に、以上のように構成された歯科用ユニット１の操作に関する処理について、図３〜図９を参照しながら説明する。
【００５３】
図３は、歯科用ユニット１の操作に関する処理の概略の手順を示すフローチャートである。図４は、ユーザ選択画面３００の一例を示す図である。図５は、ユーザ編集画面４００の一例を示す図である。図６は、ユニット待機画面５００の一例を示す図である。図７は、インスツルメント設定画面６００の一例を示す図である。図８は、メニュー画面７００の一例を示す図である。図９は、ユニット設定画面８００の一例を示す図である。
【００５４】
なお、図３に示す処理は、制御手段２２０のＣＰＵが所定のプログラムを実行することによって行われるものである。また、図３に示す処理は、歯科用ユニット１の操作に関する処理全体の一部を示しており、各ステップの内容や実行順序は適宜変更可能である。
【００５５】
図３に示すように、ステップＳ１０１では、まず、ユーザ選択画面３００（図４参照）が情報端末機器２００の操作表示手段２１０に表示される。
【００５６】
図４に示すように、ユーザ選択画面３００は、ユーザ選択ボタン３０１と、ゲスト選択ボタン３０２とを有している。ユーザ選択ボタン３０１は、登録されたユーザの中から歯科用ユニット１を使用するユーザを選択するためのボタンである。ゲスト選択ボタン３０２は、ゲストとして歯科用ユニット１を使用するユーザを選択するためのボタンである。
【００５７】
また、ユーザ選択画面３００は、ユーザ編集画面遷移ボタン３０３を有している。ユーザ編集画面遷移ボタン３０３は、操作表示手段２１０に表示される画面を、ユーザ編集画面４００（図５参照）に遷移させるためのボタンである。
【００５８】
図３に示すステップＳ１０２では、ユーザ選択画面３００においてユーザ編集画面遷移ボタン３０３がタッチされたか否かが判断される。
【００５９】
ステップＳ１０２においてユーザ編集画面遷移ボタン３０３がタッチされたと判断された場合（ステップＳ１０２でＹｅｓ）、ユーザ編集手段２２１は、ユーザ編集画面４００（図５参照）を操作表示手段２１０に表示させる（ステップＳ１０３）。
【００６０】
図５に示すように、ユーザ編集画面４００は、編集対象指定ボタン４０１と、編集対象ユーザ表示部４０２と、色選択ボタン４０３と、登録ボタン４０４と、削除ボタン４０５と、並び替えボタン４０６と、戻りボタン４０７とを有している。
【００６１】
編集対象指定ボタン４０１は、編集対象のユーザを指定するためのボタンである。編集対象指定ボタン４０１は、ここでは１番から８番まで８個表示されており、最大８人までユーザを登録および編集できるようになっている。ただし、登録可能なユーザ数は８人に限定されるものではない。ユーザを新たに登録する場合、空欄となっている未登録の編集対象指定ボタン４０１がタッチされて指定される。編集対象ユーザ表示部４０２は、編集対象指定ボタン４０１がユーザによってタッチされることによって編集対象とされたユーザを表示する部分である。また、編集対象ユーザ表示部４０２は、タッチされた編集対象指定ボタン４０１の番号を表示するとともに、ユーザに応じた文字であるユーザ名のテキスト入力を受け付ける。例えば、編集対象ユーザ表示部４０２をタッチすると、テキスト入力画面（図示せず）が操作表示手段２１０に表示されるようになっている。この場合、ユーザ名の代わりに、ユーザに応じた文字として、例えばニックネームや通称等が使用されてもよい。
【００６２】
色選択ボタン４０３は、編集対象のユーザに関係付けて設定する色（ユーザカラー）を選択するためのボタンである。色選択ボタン４０３は、ここでは登録可能なユーザ数と同じ８個表示されており、８色の中から所望の色を選択できるようになっている。ここで、ユーザカラーとして既に登録されている色の選択が禁止されるように構成されていてもよい。図５では、色選択ボタン４０３の色をかっこ内の文字で示している。選択可能な８色は、ユーザが見たときに相互に明確に区別できる色であればよく、図５に示した色は一例に過ぎない。また、編集対象ユーザ表示部４０２の先頭部分には、タッチされた色選択ボタン４０３の色が表示されるようになっている。登録ボタン４０４は、編集対象のユーザを登録するためのボタンである。削除ボタン４０５は、編集対象のユーザの登録を削除するためのボタンである。並び替えボタン４０６は、ユーザの表示順を入れ替えるためのボタンである。戻りボタン４０７は、操作表示手段２１０に表示される画面を、一つ前の画面であるユーザ選択画面３００（図４参照）に遷移させるためのボタンである。
【００６３】
図３に示すステップＳ１０４では、ユーザ編集画面４００において戻りボタン４０７がタッチされたか否かが判断される。
【００６４】
ステップＳ１０４において戻りボタン４０７がタッチされたと判断された場合（ステップＳ１０４でＹｅｓ）、ステップＳ１０１に処理が戻り、ユーザ編集画面４００（図５参照）が操作表示手段２１０に表示される。一方、ステップＳ１０４において戻りボタン４０７がタッチされていないと判断された場合（ステップＳ１０４でＮｏ）、ユーザ編集画面４００を用いた処理が続行される。
【００６５】
ステップＳ１０２においてユーザ編集画面遷移ボタン３０３がタッチされていないと判断された場合（ステップＳ１０２でＮｏ）、歯科用ユニット１を使用するユーザが選択されたか否かが判断される（ステップＳ１０５）。具体的には、ユーザ選択ボタン３０１またはゲスト選択ボタン３０２がタッチされたか否かが判断される。
【００６６】
ステップＳ１０５においてユーザが選択されたと判断された場合（ステップＳ１０５でＹｅｓ）、操作値設定手段２２２は、操作値設定画面としてのユニット待機画面５００（図６参照）を操作表示手段２１０に表示させる（ステップＳ１０６）。一方、ステップＳ１０５においてユーザが選択されていないと判断された場合（ステップＳ１０５でＮｏ）、ステップＳ１０２に処理が戻る。
【００６７】
図６に示すように、ユニット待機画面５００は、チェアマニュアル動作ボタン５０１と、チェアオート動作ボタン５０２と、メモリスイッチ５０３と、インスツルメント情報表示部５０４と、無影灯ボタン５０５と、メニューボタン５０６とを有している。
【００６８】
チェアマニュアル動作ボタン５０１は、歯科用椅子１０４をマニュアルで動作（上昇動作／下降動作／寝動作／起動作）させるためのボタンである。チェアオート動作ボタン５０２は、歯科用椅子１０４を自動で動作（第１のポジション（Ｓ１）／第２のポジション（Ｓ２）／うがいのポジション／ホームポジション（リセット））させるためのボタンである。メモリスイッチ５０３は、歯科用椅子１０４の高さおよび姿勢に関して、第１のポジション（Ｓ１）、第２のポジション（Ｓ２）、うがいのポジションを記憶して保存するためのスイッチである。
【００６９】
ユニット待機画面５００において、歯科用ユニット１の操作に関する項目である操作項目は、歯科用椅子１０４の高さや姿勢であり、操作項目における操作値は、それらの具体的な値や状態である。
【００７０】
なお、ユーザごとに、歯科用ユニット１の使用終了時の操作値が、設定された操作値として記憶されて、次回使用開始時に利用されるようになっている。また、ユーザごとに、メモリスイッチ５０３を用いて保存された操作値が、設定された操作値として記憶されて、その後メモリスイッチ５０３をタッチすることによって読み出されて利用されるようになっている。
【００７１】
インスツルメント情報表示部５０４には、インスツルメント設定画面６００（図７参照）を用いて設定されたインスツルメントに関する情報の一部が表示される。無影灯ボタン５０５は、無影灯の点灯／消灯を切り替えるボタンである。メニューボタン５０６は、操作表示手段２１０に表示される画面を、メニュー画面７００（図８参照）に遷移させるためのボタンである。
【００７２】
また、ユニット待機画面５００は、上部バー５１０を有している。上部バー５１０には、ユーザ編集手段２２１によって設定された色がユーザに応じて表示される。図６では、上部バー５１０に表示される色をかっこ内の文字（図６では「黄緑」）で示している。ここでは、上部バー５１０の領域内全体に、ユーザに応じた色がベタ塗りで表示されている。また、上部バー５１０には、ユーザに応じた文字であるユーザ名（図６では「Dr. Smith」）がさらに表示される。ここでは、ユーザ名は、白抜き文字で表示されている。
【００７３】
図３に示すステップＳ１０７では、ハンガーセンサ１４０の検出値に基づいて、インスツルメント１１０がハンガー１０２から取り出されたか否かが判断される。
【００７４】
ステップＳ１０７においてインスツルメント１１０がハンガー１０２から取り出されたと判断された場合（ステップＳ１０７でＹｅｓ）、操作値設定手段２２２は、操作値設定画面としてのインスツルメント設定画面６００（図７参照）を操作表示手段２１０に表示させる（ステップＳ１０８）。
【００７５】
図７に示すように、インスツルメント設定画面６００について、インスツルメント１１０がマイクロモータハンドピースである場合を例に挙げて説明する。
なお、ハンガー１０２から取り出されたインスツルメント１１０の種類に応じた異なるインスツルメント設定画面が操作表示手段２１０に表示されるようになっている。
【００７６】
インスツルメント設定画面６００は、スプレ切替ボタン６０１と、ランプ切替ボタン６０２と、モータ回転方向切替ボタン６０３とを有している。スプレ切替ボタン６０１は、インスツルメント１１０のスプレ機能のＯＮ／ＯＦＦを切り替えるボタンである。ランプ切替ボタン６０２は、インスツルメント１１０に設けられた照明用ランプの点灯／消灯を切り替えるボタンである。モータ回転方向切替ボタン６０３は、マイクロモータの回転方向の正逆を切り替えるボタンである。
【００７７】
なお、図７では、ランプ切替ボタン６０２は、点灯（ＯＮ）に設定されている。この場合、ランプ切替ボタン６０２は、例えば白抜きの反転画像（ただし、図７では二重枠で囲った画像として表す）とされる。
【００７８】
また、インスツルメント設定画面６００は、動作モード切替ボタン６０４と、回転モード切替ボタン６０５と、現在回転速度表示部６０６と、最高回転速度設定部６０７と、照明用ランプ明るさ設定部６０８と、インスツルメントメモリスイッチ６０９とを有している。動作モード切替ボタン６０４は、インスツルメント１１０の動作モード（Standard（標準）／Endo(歯内療法）／PMTC（クリーニング））を切り替えるボタンである。回転モード切替ボタン６０５は、マイクロモータの回転モード（Variable（フットペダル１０６ａの踏込み度合いによって回転速度を変化させる可変モード）／Fixed（設定された回転速度に固定する固定モード））を切り替えるボタンである。現在回転速度表示部６０６には、マイクロモータの現在の回転速度が表示される。最高回転速度設定部６０７は、マイクロモータの最高回転速度を設定するための部分である。照明用ランプ明るさ設定部６０８は、インスツルメント１１０に設けられた照明用ランプの明るさを設定するための部分である。インスツルメントメモリスイッチ６０９は、インスツルメント１１０の操作値の設定内容に関して、ここでは最大３通りまで記憶して保存するためのスイッチである。
【００７９】
なお、図７では、回転モード切替ボタン６０５は、固定モード（Fixed）に設定されている。この場合、回転モード切替ボタン６０５における固定モード（Fixed）を示す部分は、例えば白抜きの反転画像（図７では二重枠で囲った画像として表す）とされる。
【００８０】
インスツルメント設定画面６００において、歯科用ユニット１の操作に関する項目である操作項目は、例えばインスツルメント１１０のマイクロモータの最高回転速度等であり、操作項目における操作値は、それらの具体的な値や状態である。
【００８１】
なお、ユーザごとに、歯科用ユニット１の使用終了時の操作値が、設定された操作値として記憶されて、次回使用開始時に利用されるようになっている。また、ユーザごとに、インスツルメントメモリスイッチ６０９を用いて保存された操作値が、設定された操作値として記憶されて、その後インスツルメントメモリスイッチ６０９をタッチすることによって読み出されて利用されるようになっている。
【００８２】
インスツルメント設定画面６００は、チェア動作ボタン６１１を有している。チェア動作ボタン６１１は、図６に示すチェアマニュアル動作ボタン５０１およびチェアオート動作ボタン５０２と同様の機能を有している。
【００８３】
また、インスツルメント設定画面６００は、上部バー６１０を有している。上部バー６１０には、ユーザ編集手段２２１によって設定された色がユーザに応じて表示される。図７では、上部バー６１０に表示される色をかっこ内の文字（図７では「黄緑」）で示している。また、上部バー６１０には、ユーザに応じた文字であるユーザ名（図７では「Dr. Smith」）がさらに表示される。
【００８４】
図３に示すステップＳ１０９では、ハンガーセンサ１４０の検出値に基づいて、インスツルメント１１０がハンガー１０２に戻されたか否かが判断される。
【００８５】
ステップＳ１０９においてインスツルメント１１０がハンガー１０２に戻されたと判断された場合（ステップＳ１０９でＹｅｓ）、ステップＳ１０６に処理が戻り、ユニット待機画面５００（図６参照）が操作表示手段２１０に表示される。一方、ステップＳ１０９においてインスツルメント１１０がハンガー１０２に戻されていないと判断された場合（ステップＳ１０９でＮｏ）、インスツルメント設定画面６００を用いた処理が続行される。
【００８６】
ステップＳ１０７においてインスツルメント１１０がハンガー１０２から取り出されていないと判断された場合（ステップＳ１０７でＮｏ）、メニューボタン５０６がタッチされたか否かが判断される（ステップＳ１１０）。
【００８７】
ステップＳ１１０においてメニューボタン５０６がタッチされたと判断された場合（ステップＳ１１０でＹｅｓ）、メニュー画面７００（図８参照）が操作表示手段２１０に表示される（ステップＳ１１１）。一方、ステップＳ１１０においてメニューボタン５０６がタッチされていないと判断された場合（ステップＳ１１０でＮｏ）、ステップＳ１０７に処理が戻る。
【００８８】
図８に示すように、メニュー画面７００は、ユーザ選択画面遷移ボタン７０１と、ユニット設定画面遷移ボタン７０２と、終了ボタン７０３とを有している。ユーザ選択画面遷移ボタン７０１は、操作表示手段２１０に表示される画面を、ユーザ選択画面３００（図４参照）に遷移させるためのボタンである。ユニット設定画面遷移ボタン７０２は、操作表示手段２１０に表示される画面を、ユニット設定画面８００（図９参照）に遷移させるためのボタンである。終了ボタン７０３は、図３に示す処理を終了させるためのボタンである。
【００８９】
また、メニュー画面７００は、上部バー７１０を有している。上部バー７１０には、ユーザ編集手段２２１によって設定された色がユーザに応じて表示される。また、上部バー７１０には、ユーザに応じた文字であるユーザ名がさらに表示される。
【００９０】
図３に示すステップＳ１１２では、メニュー画面７００においてユニット設定画面遷移ボタン７０２がタッチされたか否かが判断される。
【００９１】
ステップＳ１１２においてユニット設定画面遷移ボタン７０２がタッチされたと判断された場合（ステップＳ１１２でＹｅｓ）、ユニット設定画面８００（図９参照）が操作表示手段２１０に表示される（ステップＳ１１３）。
【００９２】
図９に示すように、ユニット設定画面８００は、色設定対象指定ボタン８０１と、色選択ボタン８０２と、登録ボタン８０３と、戻りボタン８０４と、メニューボタン８０５とを有している。
【００９３】
色設定対象指定ボタン８０１は、色設定対象のボタンを指定するためのボタンである。色設定対象のボタンは、ここでは、インスツルメント設定画面６００（図７参照）におけるスプレ切替ボタン６０１、ランプ切替ボタン６０２、およびモータ回転方向切替ボタン６０３の３つである。ただし、色設定対象のボタンは、これらに限定されるものではない。色選択ボタン８０２は、色設定対象のボタンに関係付けて設定する色（ボタンカラー）を選択するためのボタンである。色選択ボタン８０２は、ここでは８色の中から所望の色を選択できるようになっている。ここで、ボタンカラーとして既に登録されている色の選択が禁止されるように構成されていてもよい。図９では、色選択ボタン８０２の色をかっこ内の文字で示している。選択可能な８色は、ユーザが見たときに相互に明確に区別できる色であればよく、図９に示した色は一例に過ぎない。
【００９４】
登録ボタン８０３は、色設定対象のボタンに対する色の設定を登録するためのボタンである。戻りボタン８０４は、操作表示手段２１０に表示される画面を、一つ前の画面であるメニュー画面７００（図８参照）に遷移させるためのボタンである。メニューボタン８０５は、操作表示手段２１０に表示される画面を、メニュー画面７００（図８参照）に遷移させるためのボタンである。
【００９５】
また、ユニット設定画面８００は、上部バー８１０を有している。上部バー８１０には、ユーザ編集手段２２１によって設定された色がユーザに応じて表示される。また、上部バー８１０には、ユーザに応じた文字であるユーザ名がさらに表示される。
【００９６】
なお、ユニット設定画面８００において、前記したボタンカラー設定に加えて、例えば無影灯１０７の明るさを設定するためのライト設定等の歯科用ユニット１に関するその他の設定が行われるように構成されてもよい。
【００９７】
図３に示すステップＳ１１４では、ユニット設定画面８００において戻りボタン８０４がタッチされたか否かが判断される。
【００９８】
ステップＳ１１４において戻りボタン４０７がタッチされたと判断された場合（ステップＳ１１４でＹｅｓ）、ステップＳ１１１に処理が戻り、メニュー画面７００（図８参照）が操作表示手段２１０に表示される。一方、ステップＳ１１４において戻りボタン８０４がタッチされていないと判断された場合（ステップＳ１１４でＮｏ）、ユニット設定画面８００を用いた処理が続行される。ただし、ステップＳ１１４では、ユニット設定画面８００においてメニューボタン８０５がタッチされたか否かが判断されるように構成されてもよい。
【００９９】
ステップＳ１１２においてユニット設定画面遷移ボタン７０２がタッチされていないと判断された場合（ステップＳ１１２でＮｏ）、ユーザ選択画面遷移ボタン７０１がタッチされたか否かが判断される（ステップＳ１１５）。
【０１００】
ステップＳ１１５においてユーザ選択画面遷移ボタン７０１がタッチされたと判断された場合（ステップＳ１１５でＹｅｓ）、ステップＳ１０１に処理が戻る。一方、ステップＳ１１５においてユーザ選択画面遷移ボタン７０１がタッチされていないと判断された場合（ステップＳ１０５でＮｏ）、ステップＳ１１６に処理が進む。
【０１０１】
ステップＳ１１６では、メニュー画面７００（図８参照）において終了ボタン７０３がタッチされたか否かが判断される。
【０１０２】
ステップＳ１１６において終了ボタン７０３がタッチされたと判断された場合（ステップＳ１１６でＹｅｓ）、図３に示す処理が終了する。一方、ステップＳ１１６において終了ボタン７０３がタッチされていないと判断された場合（ステップＳ１１６でＮｏ）、ステップＳ１１２に処理が戻る。
【０１０３】
前記したように、本実施形態に係る歯科用ユニット１は、操作表示手段２１０を備えている。この歯科用ユニット１は、ユーザに関係付けて該ユーザごとに色の設定を受け付けるユーザ編集画面４００を操作表示手段２１０に表示させるユーザ編集手段２２１を備える。また、歯科用ユニット１は、ユーザごとに歯科用ユニット１の操作項目における操作値の設定を受け付ける操作値設定画面（ユニット待機画面５００やインスツルメント設定画面６００）を操作表示手段２１０に表示させる操作値設定手段２２２を備える。そして、操作値設定手段２２２は、操作値設定画面における上部バー５１０，６１０に、ユーザ編集手段２２１によって設定された色をユーザに応じて表示させる。
【０１０４】
このような本実施形態では、操作値設定画面における上部バー５１０，６１０に、ユーザごとに設定された色が表示される。このため、ユーザは、操作値設定画面が操作表示手段２１０に表示された際に、自己が設定したユーザの色が表示されているか否かを容易かつ確実に認識することができる。そして、仮に自己が設定したユーザの色と異なる色が表示された場合には、操作表示手段２１０に表示された操作値設定画面が別のユーザ用のものであることに直ぐに気付くことができる。
したがって、本発明によれば、意図しないユーザに対して設定された操作値を誤って使用することを抑制できる歯科用ユニット１を提供することができる。
これにより、間違いに気付かずに他のユーザ用に設定した操作値を誤って使用してしまって適切な診療に支障をきたすおそれを未然に防ぐことができる。そして、ユーザは、自己の身体的特徴や操作傾向等に応じて、自己に合った操作値を確実に使用できる。
【０１０５】
ここで、例えばユーザ認証を行うことによって操作値設定画面へのアクセスを制限することも考えられる。しかし、この場合、歯科用ユニット１の使用の都度ユーザ認証を行う必要が生じ、作業が煩雑となり、実際的ではない。これに対して本実施形態は、より簡易な構成でユーザに負担を強いることなく、意図しないユーザに対して設定された操作値を誤って使用することを抑制することが可能である。
【０１０６】
また、本実施形態では、操作値設定画面（ユニット待機画面５００やインスツルメント設定画面６００）の上部バー５１０，６１０に、ユーザに応じた文字がさらに表示される。これにより、ユーザは、操作表示手段２１０に表示された操作値設定画面が、意図したユーザ用のものであることをより確実に認識することができる。
【０１０７】
また、本実施形態では、上部バー５１０，６１０は、操作値設定画面の上端部に配置されている。これにより、ユーザごとに設定された色が表示される上部バー５１０，６１０は、ユーザの目に入り易く視認性が高まる。したがって、ユーザは、操作値設定画面が操作表示手段２１０に表示された際に、意図したユーザの色が表示されているか否かをより容易かつ確実に認識することができる。
【０１０８】
また、本実施形態では、ユーザ編集画面４００は、ユーザの登録および編集を受け付ける機能と、ユーザに関係付けて該ユーザごとに色の設定を受け付ける機能とを兼ね備えている。したがって、ユーザは、ユーザに関する設定作業を効率良く、しかも確実に行うことができる。
【０１０９】
また、本実施形態では、ボタン色設定手段２２３は、インスツルメント設定画面６００中の複数のボタン６０１〜６０３に関係付けて該ボタンごとに色の設定を受け付けるユニット設定画面８００を操作表示手段２１０に表示させる。そして、操作値設定手段２２２は、インスツルメント設定画面６００における複数のボタン６０１〜６０３をボタン色設定手段２２３によって設定された色でそれぞれ表示させる。したがって、ユーザは、複数の操作項目をボタンの色で容易かつ確実に識別することができる。このため、歯科用ユニット１の操作を誤ってしまうことを未然に防止することができる。
【０１１０】
また、本実施形態では、複数（図２では２つ）の歯科用ユニット１のうちの一の歯科用ユニットにおいてユーザに関係付けられた色が設定された場合、該一の歯科用ユニットにおいて設定された色が、複数の歯科用ユニット１のうちの他の歯科用ユニットにおいてもユーザに関係付けられて設定されるように構成されている。このような構成では、ユーザに関係付けられた色の設定を行う作業は、複数の歯科用ユニット１のうちの一つで行われるのみで完了する。したがって、作業効率が向上するだけでなく、色の設定を複数の歯科用ユニット１間で統一的に行うことができる。このため、複数の歯科用ユニット１のいずれにおいても、意図しないユーザに対して設定された操作値を誤って使用することを抑制することができる。
【０１１１】
さらに、本実施形態では、複数の歯科用ユニット１のうちの一の歯科用ユニットにおいて或る操作項目の操作値が設定された場合、該一の歯科用ユニットにおいて設定された操作値が、複数の歯科用ユニット１のうちの他の歯科用ユニットにおいてもユーザに関係付けられて設定されるように構成されている。これにより、作業効率、および操作の確実性がより向上する。
【０１１２】
（第２実施形態）
次に、本発明の第２実施形態について、前記した第１実施形態と相違する点を中心に説明し、共通する点の説明を省略する。
第１実施形態は、ユーザに関係付けて該ユーザごとに色の設定を受け付け、ユーザごとに操作値の設定を受け付ける操作値設定画面における上部バー５１０，６１０に、設定された色をユーザに応じて表示させる。これに対し、第２実施形態では、「ユーザ」に代わる区分として、「診療項目」が使用される。
【０１１３】
すなわち、第２実施形態は、診療項目に関係付けて該診療項目ごとに色の設定を受け付け、診療項目ごとに操作値の設定を受け付ける操作値設定画面における上部バー５１０，６１０に、設定された色を診療項目に応じて表示させる。ここで、診療項目とは、虫歯治療、歯周病治療、小児歯科、予防歯科、インプラント治療、審美歯科等の歯科診療のカテゴリーを指すものとする。
【０１１４】
このような第２実施形態では、操作値設定画面における上部バー５１０，６１０に、診療項目ごとに設定された色が表示される。このため、ユーザは、操作値設定画面が操作表示手段２１０に表示された際に、意図した診療項目の色が表示されているか否かを容易かつ確実に認識することができる。そして、仮に意図した診療項目の色と異なる色が表示された場合には、操作表示手段２１０に表示された操作値設定画面が別の診療項目用のものであることに直ぐに気付くことができる。
したがって、第２実施形態によれば、意図しない診療項目に対して設定された操作値を誤って使用することを抑制できる歯科用ユニット１を提供することができる。
これにより、間違いに気付かずに他の診療項目用に設定した操作値を誤って使用してしまって適切な診療に支障をきたすおそれを未然に防ぐことができる。そして、ユーザは、診療項目に合った操作値を確実に使用できる。
【０１１５】
（第３実施形態）
次に、本発明の第３実施形態について、前記した第１実施形態と相違する点を中心に説明し、共通する点の説明を省略する。
第３実施形態では、第１実施形態におけるドクター等の「ユーザ」に代わる区分として、「患者」が使用される。
【０１１６】
すなわち、第３実施形態は、患者に関係付けて該患者ごとに色の設定を受け付け、患者ごとに操作値の設定を受け付ける操作値設定画面における上部バー５１０，６１０に、設定された色を患者に応じて表示させる。ここで、患者の特性（男女、大人、子供、年齢層等）に応じて色が設定されてもよい。
【０１１７】
したがって、第３実施形態によれば、意図しない患者に対して設定された操作値を誤って使用することを抑制できる歯科用ユニット１を提供することができる。
これにより、間違いに気付かずに他の患者用に設定した操作値を誤って使用してしまって適切な診療に支障をきたすおそれを未然に防ぐことができる。そして、ユーザは、患者に合った操作値を確実に使用できる。
【０１１８】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【０１１９】
例えば、前記実施形態では、歯科用ユニット１における情報端末機器２００がタブレット型ＰＣである場合について説明したが、これに限定されるものではない。情報端末機器２００は、表示手段を有する情報端末機器であればよく、例えばメカニカルキー等の操作部を含む操作パネルであってもよい。
【０１２０】
また、前記実施形態では、操作値設定画面（ユニット待機画面５００等）の上部バーの領域内全体に、ユーザ等の区分に応じた色がベタ塗りで表示されるが、これに限定されるものではない。例えば模様の付いた色が上部バーに表示されてもよいし、上部バーの領域内の一部にユーザに応じた色が表示されてもよい。
【０１２１】
また、前記実施形態では、ユーザ等の区分に応じた色が、操作値設定画面の上端部に配置された上部バーに表示されるが、これに限定されるものではない。ユーザ等の区分に応じた色は、例えば、操作値設定画面の左端部、右端部、上端部、および下端部の少なくとも１つに配置された所定領域に表示されてもよい。
【０１２２】
また、前記実施形態では、ユーザ等の区分に応じた色を所定領域に表示させる操作値設定画面として、主としてユニット待機画面５００とインスツルメント設定画面６００とを例に挙げて説明したが、これに限定されるものではない。例えば前記したように、ユーザ等の区分ごとに歯科用ユニット１に関するその他の設定を行うユニット設定画面８００も、ユーザ等の区分に応じた色を所定領域に表示させる操作値設定画面の一つとして構成され得る。
【０１２３】
また、前記実施形態では、歯科医院内の診療室に歯科用ユニット１が２台設置されている場合について説明したが、診療室に設置される歯科用ユニット１の台数は１台であってもよく、３台以上であってもよい。
【０１２４】
また、前記実施形態では、歯科用診療装置が歯科用ユニットである場合について説明したが、本発明はこれに限定されるものではない。本発明は、歯科用椅子を含む歯科用ユニットのほか、歯科用インスツルメント、歯科用小機器、歯科用Ｘ線撮影装置、歯科用Ｘ線ＣＴ装置、歯科用レーザ装置など、表示手段を備える各種の歯科用診療装置に適用可能である。
【符号の説明】
【０１２５】
１      歯科用ユニット（歯科用診療装置）
３      歯科診療システム
１００  装置本体
１０１  ユニット本体
１０２  ハンガー
１０４  歯科用椅子
１０６  フットコントローラ
１０６ａ  フットペダル
１１０  インスツルメント
１２０  駆動回路
１３０  駆動機構
１４０  ハンガーセンサ
１５０  本体側通信手段
１７０  本体側制御手段
２００  情報端末機器
２１０  操作表示手段（表示手段）
２２０  制御手段
２２１  ユーザ編集手段（区分色設定手段）
２２２  操作値設定手段
２２３  ボタン色設定手段
２３０  通信手段
３００  ユーザ選択画面
４００  ユーザ編集画面（区分色設定画面）
５００  ユニット待機画面（操作値設定画面）
５０３  メモリスイッチ
５１０  上部バー（所定領域）
６００  インスツルメント設定画面（操作値設定画面）
６０１  スプレ切替ボタン
６０２  ランプ切替ボタン
６０３  モータ回転方向切替ボタン
６０９  インスツルメントメモリスイッチ
６１０  上部バー（所定領域）
８００  ユニット設定画面（ボタン色設定画面）
８１０  上部バー（所定領域）
【図１】
2018007803.tif 000003
【図２】
2018007803.tif 000004
【図３】
2018007803.tif 000005
【図４】
2018007803.tif 000006
【図５】
2018007803.tif 000007
【図６】
2018007803.tif 000008
【図７】
2018007803.tif 000009
【図８】
2018007803.tif 000010
【図９】
2018007803.tif 000011
【手続補正書】
【提出日】平成29年9月27日(2017.9.27)
【手続補正１】
【補正対象書類名】特許請求の範囲
【補正対象項目名】請求項１
【補正方法】変更
【補正の内容】
【請求項１】
表示手段を備える歯科用診療装置であって、
区分としてのユーザまたは患者に関係付けて該区分ごとに色の設定を受け付ける区分色設定画面を前記表示手段に表示させる区分色設定手段と、
前記区分ごとに前記歯科用診療装置の操作に関する項目である操作項目における操作値の設定を受け付ける操作値設定画面を前記表示手段に表示させる操作値設定手段と、を備え、
前記操作値設定手段は、前記操作値設定画面における所定領域に、前記区分色設定手段によって設定された色を前記区分に応じて表示させることを特徴とする歯科用診療装置。
【手続補正２】
【補正対象書類名】明細書
【補正対象項目名】０００８
【補正方法】変更
【補正の内容】
【０００８】
前記課題を解決するため、本発明は、表示手段を備える歯科用診療装置であって、区分としてのユーザまたは患者に関係付けて該区分ごとに色の設定を受け付ける区分色設定画面を前記表示手段に表示させる区分色設定手段と、前記区分ごとに前記歯科用診療装置の操作に関する項目である操作項目における操作値の設定を受け付ける操作値設定画面を前記表示手段に表示させる操作値設定手段と、を備え、前記操作値設定手段は、前記操作値設定画面における所定領域に、前記区分色設定手段によって設定された色を前記区分に応じて表示させることを特徴とする。
【手続補正３】
【補正対象書類名】明細書
【補正対象項目名】０００９
【補正方法】変更
【補正の内容】
【０００９】
このような構成では、操作値設定画面における所定領域に、区分としてのユーザまたは患者ごとに設定された色が表示される。このため、ユーザは、操作値設定画面が表示手段に表示された際に、意図した区分の色が表示されているか否かを容易かつ確実に認識することができる。そして、仮に意図した区分の色と異なる色が表示された場合には、表示手段に表示された操作値設定画面が別の区分用のものであることに直ぐに気付くことができる。
したがって、本発明によれば、意図しない区分に対して設定された操作値を誤って使用することを抑制できる歯科用診療装置を提供することができる。
これにより、間違いに気付かずに他の区分用に設定した操作値を誤って使用してしまって適切な診療に支障をきたすおそれを未然に防ぐことができる。
ここで、例えばユーザ認証を行うことによって操作値設定画面へのアクセスを制限することも考えられる。しかし、この場合、歯科用診療装置の使用の都度ユーザ認証を行う必要が生じ、作業が煩雑となり、実際的ではない。これに対して本発明は、より簡易な構成でユーザに負担を強いることなく、意図しない区分に対して設定された操作値を誤って使用することを抑制することが可能である。